(57)【要約】【課題】監視区域に不審者が侵入した場合には、迅速に監視センタに異常を通報できる警備装置及び異常通報方法を提供する。【解決手段】第１の監視領域の異常を検知する第１のセンサから第１のセンサ識別情報を含む検知情報と、第２の監視領域の異常を検知する第２のセンサから第２の識別情報を含む検知情報とを受信する検知情報受信手段と、第１のセンサからの検知情報および第２のセンサからの検知情報に基づいて、第１のセンサと第２のセンサとが異常を検知した順序を判定するセンサ判定手段と、センサ判定手段が検知情報を受信した順序が第１のセンサより第２のセンサの方が先であると判定した場合に監視区域に注意を促す注意報知手段と、検知情報を受信した順序が第１のセンサが第２のセンサより先であると判定した場合、または注意報知手段が監視区域に注意を促した場合に監視センタに警報を送信する通報手段と、を備える。【選択図】        図１
2009163420.tif 000002
【特許請求の範囲】
【請求項１】
１または複数の監視区域を含む監視領域に設置されたセンサが異常を検知した場合に、監視センタに通報する警備装置において、
前記監視区域の外部である第１の監視領域に設けられ、前記第１の監視領域の異常を検知する第１のセンサから前記第１のセンサを一意に識別するための第１のセンサ識別情報を含む検知情報と、前記監視区域の内部である第２の監視領域に設けられ、前記第２の監視領域の異常を検知する第２のセンサから前記第２のセンサを一意に識別するための第２の識別情報を含む検知情報とを受信する検知情報受信手段と、
前記検知情報受信手段が受信した前記第１のセンサからの前記検知情報および前記第２のセンサからの前記検知情報に基づいて、前記第１のセンサと前記第２のセンサとが異常を検知した順序を判定するセンサ判定手段と、
前記センサ判定手段が、前記検知情報を受信した順序が前記第１のセンサより前記第２のセンサの方が先であると判定した場合に、前記監視区域に注意を促す注意報知手段と、
前記センサ判定手段が、前記検知情報を受信した順序が前記第１のセンサが前記第２のセンサより先であると判定した場合、または前記注意報知手段が前記監視区域に注意を促した場合に、前記監視センタに警報を送信する通報手段と、
を備えることを特徴とする警備装置。
【請求項２】
前記検知情報受信手段が前記第１のセンサから前記検知情報を受信した場合に、前記監視区域の外部に対して警告音声を発報する発報手段と、をさらに備えること、
を特徴とする請求項１に記載の警備装置。
【請求項３】
前記監視区域の警備を可能にして前記監視センタに通報する状態を示す警備状態と、前記監視区域の警備を解除して前記監視センタに通報しない状態を示す警備解除状態と、前記監視区域の警備を可能にしつつ前記監視センタへの通報を留保して在宅者に注意を促す状態を示す在宅警備状態と、を含む前記監視領域の警備モードの切り替えの入力を受け付ける警備モード切替手段と、
現在の警備モードが前記警備状態、前記警備解除状態、前記在宅警備状態のいずれであるかを判定する警備モード判定手段と、をさらに備え、
前記センサ判定手段は、前記警備モード判定手段が、現在の警備モードが前記在宅警備状態であると判定した場合に、前記第１のセンサと前記第２のセンサとが異常を検知した順序を判定すること、
を特徴とする請求項１または２に記載の警備装置。
【請求項４】
前記警備モードは、前記在宅警備状態ではあるが一部の前記監視区域に対して外部からの進入を許可する状態を示す在宅警備帰宅待ち状態を更に有し、
前記注意報知手段は、前記検知情報を受信した順序が前記第１のセンサの後に前記第２のセンサからの前記検知情報を受信したと判定した場合であっても、前記警備モード判定手段が、現在の警備モードが前記在宅帰宅待ち状態である場合は、前記監視区域に注意を促すこと、
を特徴とする請求項１〜３のいずれか１項に記載の警備装置。
【請求項５】
１または複数の監視区域を含む監視領域に設置されたセンサが異常を検知した場合に、監視センタに通報する警備装置において、
前記監視区域の内部である第２の監視領域に設けられ、前記監視区域の外部である第１の監視領域の異常を検知する第１のセンサから前記第１のセンサを一意に識別するための第１の識別符号を含む検知情報と、前記第２の監視領域に設けられ、前記第２の監視領域の異常を検知する第２のセンサから前記第２のセンサを一意に識別するための第２の識別符号を含む検知情報とを受信する検知情報受信手段と、
前記検知情報受信手段が受信した前記検知情報に基づいて、前記第１のセンサと前記第２のセンサとが異常を検知した順序を判定するセンサ判定手段と、
前記センサ判定手段が、前記検知情報を受信した順序が前記第１のセンサが前記第２のセンサより先であると判定した場合に、前記監視センタに警報を送信する通報手段と、
を備えることを特徴とする警備装置。
【請求項６】
前記センサ判定手段が、前記検知情報を受信した順序が前記第２のセンサの後に前記第１のセンサからの前記検知情報を受信したと判定した場合に、前記監視区域に注意を促す注意報知手段と、をさらに備え、
前記通報手段は、前記注意報知手段が前記監視区域に注意を促した場合に、前記監視センタに警報を送信すること、
を特徴とする請求項５に記載の警備装置。
【請求項７】
１または複数の監視区域を含む監視領域に設置されたセンサが異常を検知した場合に、監視センタに通報する警備装置で実行される異常通報方法において、
前記監視区域の外部である第１の監視領域に設けられ、前記第１の監視領域の異常を検知する第１のセンサから前記第１のセンサを一意に識別するための第１のセンサ識別情報を含む検知情報と、前記監視区域の内部である第２の監視領域に設けられ、前記第２の監視領域の異常を検知する第２のセンサから前記第２のセンサを一意に識別するための第２の識別情報を含む検知情報とを受信する検知情報受信ステップと、
前記検知情報受信手段が受信した前記第１のセンサからの前記検知情報および前記第２のセンサからの前記検知情報に基づいて、前記第１のセンサと前記第２のセンサとが異常を検知した順序を判定するセンサ判定ステップと、
前記センサ判定手段が、前記検知情報を受信した順序が前記第１のセンサより前記第２のセンサの方が先であると判定した場合に、前記監視区域に注意を促す注意報知ステップと、
前記センサ判定手段が、前記検知情報を受信した順序が前記第１のセンサが前記第２のセンサより先であると判定した場合、または前記注意報知手段が前記監視区域に注意を促した場合に、前記監視センタに警報を送信する通報ステップと、
を含むことを特徴とする異常通報方法。
【請求項８】
１または複数の監視区域を含む監視領域に設置されたセンサが異常を検知した場合に、監視センタに通報する警備装置で実行される異常通報方法において、
前記監視区域の内部である第２の監視領域に設けられ、前記監視区域の外部である第１の監視領域の異常を検知する第１のセンサから前記第１のセンサを一意に識別するための第１の識別符号を含む検知情報と、前記第２の監視領域に設けられ、前記第２の監視領域の異常を検知する第２のセンサから前記第２のセンサを一意に識別するための第２の識別符号を含む検知情報とを受信する検知情報受信ステップと、
前記検知情報受信手段が受信した前記検知情報に基づいて、前記第１のセンサと前記第２のセンサとが異常を検知した順序を判定するセンサ判定ステップと、
前記センサ判定手段が、前記検知情報を受信した順序が前記第１のセンサが前記第２のセンサより先であると判定した場合に、前記監視センタに警報を送信する通報ステップと、
を含むことを特徴とする異常通報方法。
【発明の詳細な説明】
【技術分野】
【０００１】
本発明は、１または複数の監視区域を含む監視領域の異常を検知して監視センタに通報する警備装置及び異常通報方法に関する。
【背景技術】
【０００２】
近年の警備装置においては、家人が外出するなどして警備装置が警備する監視領域（例えば、家人が居住する家屋全体およびその周辺領域）が無人となった場合だけではなく、家人が在宅中の場合においても、家屋内の１または複数の監視区域（例えば、居間、玄関等の家屋内の各部屋や廊下等）を警備する在宅警備も行われている。
【０００３】
この在宅警備では、部屋ごとに警備するか否かを設定することや、センサが異常を検知した場合であっても、直ちに監視センタには通報せず、一定の時間だけは通報を留保して家人に注意を促す（以下、プレ警報と呼ぶ。）ができる。これは、家人が誤ってセンサが設置されている窓や扉を開閉した場合があるため、そのような行為による通報をコントローラの操作表示部を操作してキャンセルすることができるようにするためである。
【０００４】
また、在宅警備の場合ではあるが、あらかじめ警備装置を監視区域の警備を解除している状態を示す警備解除モードと呼ばれるモードに設定していれば、例えば、家人が換気のためにセンサが設置された窓や扉を開閉した場合であっても、プレ警報を家人に報知したり、監視領域に異常が生じた旨を監視センタへ通報させないようにすることもできる。
【０００５】
例えば、特許文献１には、センサの検知パターンがあらかじめ定められ、その検知パターンに合致する場合にのみ監視センタに異常である旨を通報する技術や、あらかじめ定められた時間内に所定の回数以上センサが異常を検知した場合にのみ監視センタに異常である旨を通報する技術が開示されている。さらに、この特許文献１には、監視センタに異常である旨の通報を行う前に、家人に対して警告を行うプレ警報（予備警報）を発する技術が開示されている。
【０００６】
【特許文献１】特開平１−２９２６００号公報
【発明の開示】
【発明が解決しようとする課題】
【０００７】
しかしながら、特許文献１に記載された技術では、家人が誤ってセンサが設置されている窓や扉を開閉した場合、あるいは不審者が現実にセンサが設置されている窓や扉を開閉して侵入した場合のいずれの場合であっても、センサが異常を検知した場合には一定の時間プレ警報（予備警報）を行った後に監視センタへの警報の通報を行っている。このため、後者の場合には、監視センタへの警報の通報が遅れてしまい、家人に危険が及ぶおそれがあるという問題があった。
【０００８】
本発明は、上記に鑑みてなされたものであって、監視区域に不審者が侵入した場合には、迅速に監視センタに異常を通報できる警備装置及び異常通報方法を提供することを目的とする。
【課題を解決するための手段】
【０００９】
上述した課題を解決し、目的を達成するために、請求項１にかかる発明は、１または複数の監視区域を含む監視領域に設置されたセンサが異常を検知した場合に、監視センタに通報する警備装置において、前記監視区域の外部である第１の監視領域に設けられ、前記第１の監視領域の異常を検知する第１のセンサから前記第１のセンサを一意に識別するための第１のセンサ識別情報を含む検知情報と、前記監視区域の内部である第２の監視領域に設けられ、前記第２の監視領域の異常を検知する第２のセンサから前記第２のセンサを一意に識別するための第２の識別情報を含む検知情報とを受信する検知情報受信手段と、前記検知情報受信手段が受信した前記第１のセンサからの前記検知情報および前記第２のセンサからの前記検知情報に基づいて、前記第１のセンサと前記第２のセンサとが異常を検知した順序を判定するセンサ判定手段と、前記センサ判定手段が、前記検知情報を受信した順序が前記第１のセンサより前記第２のセンサの方が先であると判定した場合に、前記監視区域に注意を促す注意報知手段と、前記センサ判定手段が、前記検知情報を受信した順序が前記第１のセンサが前記第２のセンサより先であると判定した場合、または前記注意報知手段が前記監視区域に注意を促した場合に、前記監視センタに警報を送信する通報手段と、を備えることを特徴とする。
【００１０】
また、請求項２にかかる発明は、請求項１に記載の警備装置において、前記検知情報受信手段が前記第１のセンサから前記検知情報を受信した場合に、前記監視区域の外部に対して警告音声を発報する発報手段と、をさらに備えること、を特徴とする。
【００１１】
また、請求項３にかかる発明は、請求項１または２に記載の警備装置において、前記監視区域の警備を可能にして前記監視センタに通報する状態を示す警備状態と、前記監視区域の警備を解除して前記監視センタに通報しない状態を示す警備解除状態と、前記監視区域の警備を可能にしつつ前記監視センタへの通報を留保して在宅者に注意を促す状態を示す在宅警備状態と、を含む前記監視領域の警備モードの切り替えの入力を受け付ける警備モード切替手段と、現在の警備モードが前記警備状態、前記警備解除状態、前記在宅警備状態のいずれであるかを判定する警備モード判定手段と、をさらに備え、前記センサ判定手段は、前記警備モード判定手段が、現在の警備モードが前記在宅警備状態であると判定した場合に、前記第１のセンサと前記第２のセンサとが異常を検知した順序を判定すること、を特徴とする。
【００１２】
また、請求項４にかかる発明は、請求項１〜３のいずれか１項に記載の警備装置において、前記警備モードは、前記在宅警備状態ではあるが一部の前記監視区域に対して外部からの進入を許可する状態を示す在宅警備帰宅待ち状態を更に有し、前記注意報知手段は、前記検知情報を受信した順序が前記第１のセンサの後に前記第２のセンサからの前記検知情報を受信したと判定した場合であっても、前記警備モード判定手段が、現在の警備モードが前記在宅帰宅待ち状態である場合は、前記監視区域に注意を促すこと、を特徴とする。
【００１３】
また、請求項５にかかる発明は、１または複数の監視区域を含む監視領域に設置されたセンサが異常を検知した場合に、監視センタに通報する警備装置において、前記監視区域の内部である第２の監視領域に設けられ、前記監視区域の外部である第１の監視領域の異常を検知する第１のセンサから前記第１のセンサを一意に識別するための第１の識別符号を含む検知情報と、前記第２の監視領域に設けられ、前記第２の監視領域の異常を検知する第２のセンサから前記第２のセンサを一意に識別するための第２の識別符号を含む検知情報とを受信する検知情報受信手段と、前記検知情報受信手段が受信した前記検知情報に基づいて、前記第１のセンサと前記第２のセンサとが異常を検知した順序を判定するセンサ判定手段と、前記センサ判定手段が、前記検知情報を受信した順序が前記第１のセンサが前記第２のセンサより先であると判定した場合に、前記監視センタに警報を送信する通報手段と、を備えることを特徴とする。
【００１４】
また、請求項６にかかる発明は、請求項５に記載の警備装置において、前記センサ判定手段が、前記検知情報を受信した順序が前記第２のセンサの後に前記第１のセンサからの前記検知情報を受信したと判定した場合に、前記監視区域に注意を促す注意報知手段と、をさらに備え、前記通報手段は、前記注意報知手段が前記監視区域に注意を促した場合に、前記監視センタに警報を送信すること、を特徴とする。
【００１５】
また、請求項７にかかる発明は、１または複数の監視区域を含む監視領域に設置されたセンサが異常を検知した場合に、監視センタに通報する警備装置で実行される異常通報方法において、前記監視区域の外部である第１の監視領域に設けられ、前記第１の監視領域の異常を検知する第１のセンサから前記第１のセンサを一意に識別するための第１のセンサ識別情報を含む検知情報と、前記監視区域の内部である第２の監視領域に設けられ、前記第２の監視領域の異常を検知する第２のセンサから前記第２のセンサを一意に識別するための第２の識別情報を含む検知情報とを受信する検知情報受信ステップと、前記検知情報受信手段が受信した前記第１のセンサからの前記検知情報および前記第２のセンサからの前記検知情報に基づいて、前記第１のセンサと前記第２のセンサとが異常を検知した順序を判定するセンサ判定ステップと、前記センサ判定手段が、前記検知情報を受信した順序が前記第１のセンサより前記第２のセンサの方が先であると判定した場合に、前記監視区域に注意を促す注意報知ステップと、前記センサ判定手段が、前記検知情報を受信した順序が前記第１のセンサが前記第２のセンサより先であると判定した場合、または前記注意報知手段が前記監視区域に注意を促した場合に、前記監視センタに警報を送信する通報ステップと、を含むことを特徴とする。
【００１６】
また、請求項８にかかる発明は、１または複数の監視区域を含む監視領域に設置されたセンサが異常を検知した場合に、監視センタに通報する警備装置で実行される異常通報方法において、前記監視区域の内部である第２の監視領域に設けられ、前記監視区域の外部である第１の監視領域の異常を検知する第１のセンサから前記第１のセンサを一意に識別するための第１の識別符号を含む検知情報と、前記第２の監視領域に設けられ、前記第２の監視領域の異常を検知する第２のセンサから前記第２のセンサを一意に識別するための第２の識別符号を含む検知情報とを受信する検知情報受信ステップと、前記検知情報受信手段が受信した前記検知情報に基づいて、前記第１のセンサと前記第２のセンサとが異常を検知した順序を判定するセンサ判定ステップと、前記センサ判定手段が、前記検知情報を受信した順序が前記第１のセンサが前記第２のセンサより先であると判定した場合に、前記監視センタに警報を送信する通報ステップと、を含むことを特徴とする。
【発明の効果】
【００１７】
請求項１にかかる発明によれば、注意報知手段が、センサ判定手段が検知情報を受信した順序が第１のセンサより第２のセンサの方が先であると判定した場合に、監視区域に注意を促し、通報手段が、センサ判定手段が検知情報を受信した順序が第１のセンサが第２のセンサより先であると判定した場合、または注意報知手段が監視区域に注意を促した場合に、監視センタに警報を送信するので、第１のセンサと第２のセンサとの異常検知の順序により在宅警備の場合にセンサが検知した異常が不審者によるものか否かを区別でき、異常が不審者の侵入によるものである場合には、迅速に監視センタに異常を通報できるという効果を奏する。
【００１８】
請求項２にかかる発明によれば、請求項１に記載の警備装置において、発報手段が、検知情報受信手段が第１のセンサから検知情報を受信した場合に、監視区域の外部に対して警告音声を発報するので、在宅警備の場合にセンサが検知した異常が不審者によるものか否かを区別でき、異常が不審者の侵入によるものである場合には、不審者に対して威嚇するとともに、迅速に監視センタに異常を通報できるという効果を奏する。
【００１９】
請求項３にかかる発明によれば、請求項１または２に記載の警備装置において、警備モード判定手段が、現在の警備モードが警備状態、警備解除状態、在宅警備状態のいずれであるかを判定し、センサ判定手段は、警備モード判定手段が現在の警備モードが在宅警備状態であると判定した場合に、第１のセンサと第２のセンサとが異常を検知した順序を判定するので、複数の警備モードを切り替えて警備を行う場合でも、在宅警備の場合にセンサが検知した異常が不審者によるものか否かを区別でき、迅速に監視センタに異常を通報できるという効果を奏する。
【００２０】
請求項４にかかる発明によれば、請求項１〜３のいずれか１項に記載の警備装置において、注意報知手段は、検知情報を受信した順序が第１のセンサの後に第２のセンサからの検知情報を受信したと判定した場合であっても、警備モード判定手段が、現在の警備モードが在宅帰宅待ち状態である場合は、監視区域に注意を促すので、在宅警備の場合にセンサが検知した異常が家人の帰宅によるものか否かを区別でき、異常が家人の帰宅によるものである場合には、直ちに監視センタに異常を通報しないため誤報を低減できるという効果を奏する。
【００２１】
請求項５にかかる発明によれば、センサ判定手段が、検知情報受信手段が受信した検知情報に基づいて、第１のセンサと第２のセンサとが異常を検知した順序を判定し、センサ判定手段が、検知情報を受信した順序が第１のセンサが第２のセンサより先であると判定した場合に、通報手段が監視センタに警報を送信するので、センサを監視区域の外部に設置できない場合であっても、在宅警備の場合にセンサが検知した異常が不審者によるものか否かを区別でき、異常が不審者の侵入によるものである場合には、迅速に監視センタに異常を通報できるという効果を奏する。
【００２２】
請求項６にかかる発明によれば、請求項５に記載の警備装置において、センサ判定手段が、検知情報を受信した順序が第２のセンサの後に第１のセンサからの検知情報を受信したと判定した場合に、注意報知手段が監視区域に注意を促し、通報手段は、注意報知手段が監視区域に注意を促した場合に、監視センタに警報を送信するので、センサを監視区域の外部に設置できない場合であっても、在宅警備の場合にセンサが検知した異常が家人の帰宅によるものか否かを区別でき、異常が家人の帰宅によるものである場合には、直ちに監視センタに異常を通報しないため誤報を低減できるという効果を奏する。
【発明を実施するための最良の形態】
【００２３】
以下に添付図面を参照して、この発明にかかる警備装置および異常通報方法の最良な実施の形態を詳細に説明する。
【００２４】
（実施の形態１）
図１は、実施の形態１の警備装置１００の機能的構成を示すブロック図である。警備装置１００は、図１に示すように、本体部２１０とコントローラ２３０とを備えており、ネットワーク２８０を介して監視センタ２９０に接続されている。また、本体部２１０は、監視領域に設置されたセンサ２０３ａ、２０３ｂおよびブザー２５０と有線または無線で接続されている。
【００２５】
センサ２０３ａ、２０３ｂは、監視領域である家屋全体の各部屋や玄関、廊下等の区域（以下、これらの区域のことを監視区域と呼ぶ。）に入室してきた入室者を検知する目的で設置されたセンサであり、例えば、赤外線の受光量の変化をもとに人の存在を検出する赤外線センサ、赤外線などの受信が遮断されることで人の存在を検出する遮断センサ、および電磁波の乱れで人の存在を検知する電波センサ等が該当する。センサ２０３ａ、２０３ｂと警備装置１００は、有線または無線で接続されており、センサ２０３ａ、２０３ｂが人の存在を検知した場合に検知信号とそのセンサ２０３ａまたは２０３ｂのセンサＩＤ（IDentifier）（以下、検知信号とセンサＩＤのことを総称して検知情報と呼ぶ。）を警備装置１００に送信する。
【００２６】
より具体的には、センサ２０３ａは、監視区域の外部を対象として人の存在を検知するために設置されたセンサであり、例えば外壁や、窓枠外側等に設置される赤外線センサ等の空間センサである。一方、センサ２０３ｂは、監視区域の内部を対象として人の存在を検知するために設置されたセンサであり、例えば、内壁や窓枠内側等に設置され、窓等の開閉を検知する開閉センサである。このセンサ２０３ａ、２０３ｂは、１組の対（例えば、図１に示すＰ１〜Ｐｎのような組み合わせ）をなして上述した各場所に設置される。尚、このセンサ２０３ａ、２０３ｂの組み合わせについては、後述する対応センサ記憶部２１６に記憶されている。また、以下では、センサ２０３ａのことをトリガセンサ、センサ２０３ｂのことを開閉センサと呼ぶ。
【００２７】
警備装置１００のコントローラ２３０は、警備装置１００の一部をなすものであるが、リビングや廊下の壁など警備装置１００の本体部２１０とは別個に設置されており、警備装置１００の本体の入出力制御部２１１に有線または無線で接続されている。
【００２８】
コントローラ２３０は、操作表示部２３１と、マイク２３２と、スピーカ２３３とを備えている。操作表示部２３１は、住人に対して各種画面の表示を行う。また、操作表示部２３１は、住人からの警備モードを切替える操作（切替操作）等を受け付けて、受け付けた切替操作後の警備モード（警備状態、警備解除状態、在宅警備状態、および在宅警備帰宅待ち状態）を示す切替信号を警備装置１００の本体部の入出力制御部２１１に送出する。操作表示部２３１は、例えばタッチ入力式の液晶画面等が該当する。上述した各種の警備モードの具体的な内容については後述する。
【００２９】
ブザー２５０は、家屋の外部に設置され、後述する警備モード記憶部２１２に記憶される警備モードが警備状態である場合に、後述する本体部２１０の警告音声報知部２１９によって、侵入者に対して警告音を発報する。
【００３０】
本体部２１０は、通信制御部２０６と、入出力制御部２１１と、警備モード切替部２１３と、警備モード記憶部２１２と、時間記憶部２１４と、タイマー２１５と、対応センサ記憶部２１６と、異常通報部２１７と、警報注意報知部２１８と、警告音声報知部２１９と、センサ判定部２２０と、検知受信部２２１と、を主に備えている。
【００３１】
通信制御部２０６は、警備装置１００とネットワーク２８０との間における通信を制御するものであり、具体的にはネットワークボードなどが該当する。
【００３２】
入出力制御部２１１は、コントローラ２３０（操作表示部２３１、マイク２３２、スピーカ２３３、ブザー２５０）の入出力制御、センサ２０３ａ、２０３ｂの入力制御により種々のデータの入出力を制御する処理部である。
【００３３】
警備モード記憶部２１２は、各種警備モード、および監視領域における現在の警備モードを記憶するメモリなどの記憶媒体である。すなわち、警備モード記憶部２１２には、現在の警備モードが記憶されていることになる。
【００３４】
ここで、警備モードとは、監視領域において異常を検知した際の通報先への通報の可否、または監視領域内に対する報知の可否などを定めたモードであり、異常を検知したときの警備装置１００の動作を決定するモードである。警備モードは、通報の可否および通報先、監視領域への報知の有無などによって複数のモードが存在する。代表的な警備モードとしては、警備状態、在宅警備状態、在宅警備帰宅待ち状態、警備解除状態が存在し、コントローラ２３０又はサブコントローラ２３０（コントローラは複数設定することも可能）における操作により、監視領域の警備モードを設定するようにしている。
【００３５】
まず、警備状態とは、主に住人が外出中、警備を必要とする場合に設定する警備モードであり、センサ２０３ａまたは２０３ｂによって異常を検知したときに発せられる検知信号を警備装置１００が受信した場合に、異常を知らせる警報を監視センタ２９０に通報する状態である。なお、監視領域において異常を検知したことをスピーカ２３３やブザー２５０に報知する場合もある。これは、侵入者を威嚇する目的や誤報である場合に警報解除操作を促す目的で報知するものである。
【００３６】
在宅警備状態とは、主に住人が在宅中、警備を必要とする場合に設定する警備モードであり、家庭内の一部の部屋を監視領域とした場合において、センサ２０３ａまたは２０３ｂによって当該監視領域内で異常を検知したときに発せられる検知信号を警備装置１００が受信した場合に、監視領域において異常を検知したことをスピーカ２３３等で報知する状態である。なお、監視領域だけではなく監視センタに異常を知らせる警報を報知する場合もある。これは、在宅時においても監視センタへの通報を行う契約を結んだ場合であり、監視領域において異常を検知したことを報知した後に、監視センタに通報を行うなどの動作をする。
【００３７】
在宅警備帰宅待ち状態とは、上述した在宅警備状態の場合ではあるが、家庭内の一部の部屋を監視領域とした場合において、センサ２０３ａまたは２０３ｂによって当該監視領域内で異常を検知したときに発せられる検知信号を警備装置１００が受信したが、監視領域において異常を検知したことをスピーカ２３３等で報知しない状態である。すなわち、家庭内の一部の部屋（例えば、玄関等の人が出入りする場所。）をこの在宅警備帰宅待ち状態に設定した場合には、住人がセンサ２０３ａ、２０３ｂが設置された玄関の扉を開閉して帰宅した場合でも、監視センタへの通報等は行わないようにするものである。
【００３８】
警備解除状態とは、主に住人が在宅中、警備を必要としない場合に設定する警備モードであり、センサ２０３ａまたは２０３ｂによって異常を検知したときに発せられる検知信号を警備装置１００が受信した場合でも、監視センタへの警報の通報、監視領域における異常の検知、通報先端末への異常の通報のいずれも行わない状態である。これは、センサにより異常が検知（人の存在の検知、扉の開閉の検知）されても、在宅中の住人を検知したものと判断するためである。
【００３９】
なお、検知された異常が火災やガス漏れの場合、または、非常ボタンが操作された場合は、前記いずれの警備モードであるかによらず、監視センタへの通報、各エリアへの異常が検知された旨の報知などを行う。
【００４０】
警備モード切替部２１３は、コントローラ２３０から入出力制御部２１１を介して切替信号を受け取り、受取った切替信号（すなわち、切り替え操作により指定された警備モード）に従って、警備モード記憶部２１２に、切り替え後の警備モードを記憶させることにより、現在の監視領域における警備モードの切替えを行うものである。
【００４１】
タイマー２１５は、センサ２０３ａによって外部から監視領域に侵入してきた人が検知された場合、すなわち後述する検知受信部２２１がセンサ２０３ａからの検知情報を受信した場合、その受信した時刻を後述する時間記憶部２１４に記憶する。また、タイマー２１５は、後述する検知受信部２２１が検知情報を受信した時刻から、次にセンサ２０３ａまたは２０３ｂからの検知情報を受信するまでの時間（以下、この時間を経過時間と呼ぶ。）を計時する。
【００４２】
時間記憶部２１４は、検知受信部２２１がセンサ２０３ａから検知情報を受信した時刻と、上述した経過時間と、あらかじめセンサ２０３ａまたはセンサ２０３ｂからの検知情報を受信してから、監視センタへ異常を検知した旨の通報を行なうまでの時間（以下、経過設定時間と呼ぶ。）を記憶するメモリ等の記憶媒体である。
【００４３】
異常通報部２１７は、監視領域の警備モードが警備状態、在宅警備状態、在宅警備帰宅待ち状態、であるときに、センサ２０３ａ、２０３ｂによって監視領域に外部から入室した入室者が検知された場合、監視センタへ異常を検知した旨の通報を行なうものである。
【００４４】
また、本実施の形態では、タイマー２１５により計時されたセンサ２０３ａから検知情報を受信した時刻から計時した経過時間が、経過設定時間を経過するまでは、警備状態または在宅警備状態の監視領域のセンサ２０３ａまたは２０３ｂから検知信号を受信した場合では、当該検知信号を一時留保し、監視センタ２９０へ通報または監視領域内への報知が行われないようにしている。
【００４５】
対応センサ記憶部２１６は、センサ２０３ａ、２０３ｂのＩＤの組み合わせＰ１〜Ｐｎ、およびそのセンサの組み合わせと、玄関、リビング等の監視区域と、センサ２０３ａ、２０３ｂが異常を検知した順序を示すフラグ（以下、センサ順序フラグと呼ぶ。）とを対応付けて記憶するメモリなどの記憶媒体である。
【００４６】
図２は、対応センサ記憶部２１６が記憶するセンサ２０３ａ、２０３ｂのＩＤの組み合わせと監視区域とセンサ順序フラグとを対応付けて記憶する場合の例を示す図である。図２に示すように、対応センサ記憶部２１６は、監視区域（例えば、玄関、リビング、寝室）の名称と、その監視区域に設置されたセンサ２０３ａ、２０３ｂのセンサＩＤ（例えば、センサ２０３ａのセンサＩＤ「００１」とセンサ２０３ｂのセンサＩＤ「０１０」）を記憶する。
【００４７】
センサ順序フラグは、上述したように、センサ２０３ａ、２０３ｂが異常を検知した順序を示すものであり、トリガセンサであるセンサ２０３ａが異常を検知した後、開閉センサであるセンサ２０３ｂが異常を検知した場合には「１」、開閉センサであるセンサ２０３ｂが異常を検知した後、トリガセンサであるセンサ２０３ａが異常を検知した場合には「２」、トリガセンサであるセンサ２０３ａおよび開閉センサであるセンサ２０３ｂのいずれも異常を検知していない場合には「０」（デフォルト値）の値を示す。
【００４８】
図２では、監視区域である「玄関」に設置されたトリガセンサであるセンサ２０３ａが異常を検知しているが、開閉センサであるセンサ２０３ｂは未だ異常を検知していない場合の例を示している。また、監視区域である「リビング」に設置されたトリガセンサであるセンサ２０３ａ、開閉センサであるセンサ２０３ｂはいずれも異常を検知していないことを示している。尚、このセンサ順序フラグは、後述する検知受信部２２１が各センサからの異常を検知したタイミングで、後述するセンサ判定部２２０によって上述した各値がセンサ順序フラグに書き込まれる。
【００４９】
センサ判定部２２０は、後述する検知受信部２２１が、センサ２０３ａ、２０３ｂからの異常を示す検知情報を受信すると、検知情報に含まれるセンサＩＤを読み取り、読み取ったセンサＩＤが、対応センサ記憶部２１６に記憶されるどのセンサＩＤに対応するものであるかを判別する。また、センサ判定部２２０は、読み取った検知情報に含まれるセンサＩＤが、トリガセンサであるセンサ２０３ａを示すものである場合には、センサ順序フラグに「１」をセットする。これと同様に、センサ判定部２２０は、読み取った検知情報に含まれるセンサＩＤが、開閉センサであるセンサ２０３ｂである場合には、センサ順序フラグに「２」をセットする。
【００５０】
また、センサ判定部２２０は、検知情報の中から読み取ったセンサＩＤが、対応センサ記憶部２１６に記憶されるセンサＩＤに対応するものであるかを判別すると、センサ順序フラグを参照して、既にそのセンサＩＤに対応するセンサ（トリガセンサであるセンサ２０３ａまたは開閉センサであるセンサ２０３ｂ）が異常を検知しているか否かを判定する。
【００５１】
警備モード判定部２４０は、センサ判定部２２０が検知情報の中から読み取ったセンサＩＤが、対応センサ記憶部２１６に記憶されるセンサＩＤに対応するものと判定した場合に、対応センサ記憶部２１６に記憶されるセンサ順序フラグに「１」がセットされているか否かを判定する。そして、警備モード判定部２４０は、センサ順序フラグに「１」がセットされていると判定すると、警備モードが、警備状態、在宅警備状態、在宅警備帰宅待ち状態、警備解除状態のいずれのモードであるかを判定する。
【００５２】
検知受信部２２１は、センサ２０３ａ、２０３ｂが、赤外線の受光量の変化や、赤外線などの受信が遮断された場合の変化や、電磁波の乱れが生じた場合等、各センサが異常を検知した場合に、各センサから、異常を示す検知信号と共に、そのセンサのセンサＩＤが含まれた検知情報を受信する。
【００５３】
警報注意報知部２１８は、対応センサ記憶部２１６に記憶されているセンサ順序フラグを読み取り、センサ２０３ａまたはセンサ２０３ｂが異常を検知しているか否かを判定する。そして、警報注意報知部２１８は、センサ順序フラグに「１」がセットされていないと判定した場合、あるいはセンサ順序フラグに「１」がセットされていると判定した場合であっても、後述する警備モード判定部２４０が、警備モード記憶部２１２に記憶されている警備モードが在宅警備帰宅待ち状態であると判定した場合には、一定の時間だけは監視センタ２９０への通報を留保して家人に注意を促す警報（以下、プレ警報と呼ぶ。）をスピーカ２３３から報知する。
【００５４】
また、警報注意報知部２１８は、検知受信部２２１が、センサ２０３ａまたはセンサ２０３ｂからの検知情報を受信してから、タイマー２１５が計時する時間が、時間記憶部２１４にあらかじめ記憶された経過設定時間を経過しているか否かを判定し、経過設定時間を経過していると判定した場合には、スピーカ２３３からプレ警報の発報を中止する。
【００５５】
警告音声報知部２１９は、センサ判定部２２０が、検知受信部２２１がトリガセンサであるセンサ２０３ａからの検知情報を受信し、かつ警備モード判定部２４０が警備モード記憶部２１２に記憶されている警備モードが警備状態であると判定した場合には、ブザー２５０に対して警告音声を発報させる。
【００５６】
また、警告音声報知部２１９は、センサ判定部２２０が、検知受信部２２１がトリガセンサであるセンサ２０３ａからの検知情報を受信したが、警備モード判定部２４０が警備モード記憶部２１２に記憶されている警備モードが在宅警備状態であると判定した場合には、スピーカ２３３に対して警告音声を発報させる。
【００５７】
また、警告音声報知部２１９は、検知受信部２２１が、センサ２０３ａまたはセンサ２０３ｂからの検知情報を受信してから、タイマー２１５が計時する時間が、時間記憶部２１４にあらかじめ記憶された経過設定時間を経過しているか否かを判定し、スピーカ２３３やブザー２５０からの音声の発報を中止する。
【００５８】
このように、警備モードに応じて、警告音声を発報させる対象が異なるのは、警備状態の場合には、家人が留守にしているので、外部から侵入しようとする者に対して、より効果的に威嚇するためである。一方、在宅警備状態の場合には、家人は監視領域である家屋内に在宅しているので、外部からの侵入者に対して威嚇する必要がある一方、家人に対しても速やかに危険を知らせる必要があるためである。
【００５９】
ネットワーク２８０は、電話回線、無線ネットワーク、ＷＡＮ（Wide  Area  Network：広域通信網）、インターネットなどの通信回線である。
【００６０】
監視センタ２９０は、監視領域の異常を検知した警備装置１００からの通報を受け、待機中の警備員に対して異常が検知された監視領域へ向かう旨の指示を出すとともに、必要に応じて警察や消防など関係機関への通報を行うセンタである。
【００６１】
図３は、実施の形態１の警備装置１００およびセンサ２０３ａ、２０３ｂの監視領域内の配置図である。本実施の形態の警備装置１００は、家屋である監視領域内の玄関、リビング等の監視区域における異常を監視するものであり、監視区域の外部の異常を検知するトリガセンサ２０３ａは各監視区域の外部に設置され、監視区域の内部の異常を検知する開閉センサ２０３ｂは各監視区域の内部に設置される。尚、監視区域の内部の異常を検知するセンサとして、開閉センサ２０３ｂ以外にも、監視区域の天井等に設置された空間センサ２０３ｃによって、監視区域の内部の異常を検知することとしてもよい。
【００６２】
続いて、以上のように構成された実施の形態１にかかる警備装置１００で実行される各処理について説明する。
【００６３】
図４は、実施の形態１において、監視区域に設置されたセンサ２０３ａ、２０３ｂからの異常を示す検知情報を受信してから、監視センタ２９０に通報するまで、あるいは監視センタ２９０に異常を通報せず、スピーカ２３３やブザー２５０からプレ警報や警報音声を発報するまでの処理手順を示すフローチャートである。以下の説明では、検知受信部２２１が、トリガセンサであるセンサ２０３ａからの異常を示す検知情報を受信した場合について説明する。
【００６４】
まず、検知受信部２２１がセンサ２０３ａ、またはセンサ２０３ｂからの検知情報を受信すると、センサ判定部２２０は、受信した検知情報に含まれるセンサＩＤを読み取り、そのセンサＩＤが対応センサ記憶部２１６に記憶されたトリガセンサまたは開閉センサのセンサＩＤと一致するか否かを判定することによって、受信した検知情報がトリガセンサであるセンサ２０３ａから受信したものであるか、または開閉センサであるセンサ２０３ｂから受信したものであるかを判定し、対応センサ記憶部２１６のセンサ順序フラグに「１」または「２」をセットする（ステップＳ４０１）。
【００６５】
そして、センサ判定部２２０が、受信した検知情報がトリガセンサであるセンサ２０３ａから受信したものであると判定した場合には（ステップＳ４０１；Ｙｅｓ）、ステップＳ４０２に進み、受信した検知情報がトリガセンサであるセンサ２０３ａから受信したものでないと判定した場合には（ステップＳ４０１；Ｎｏ）、処理を終了する。本実施の形態においては、検知受信部２２１は、センサ２０３ａからの異常を示す検知情報を受信している（すなわち、センサ順序フラグに「１」がセットされている）ので、ステップＳ４０２に進む。
【００６６】
センサ判定部２２０が、受信した検知情報のセンサの種類を判定すると、続いて、警備モード判定部２４０は、警備モード記憶部２１２に記憶された警備モードが、警備状態、在宅警備状態、在宅警備帰宅待ち状態、警備解除状態のいずれのモードであるかを判定する（ステップＳ４０２）。
【００６７】
具体的には、まず警備モード判定部２４０は、警備モード記憶部２１２に記憶された警備モードが警備状態であるか否かを判定する（ステップＳ４０２）。そして、警備モード判定部２４０が、警備モード記憶部２１２に記憶された警備モードが警備状態であると判定した場合には（ステップＳ４０２；Ｙｅｓ）、警告音声報知部２１９は、ブザー２５０に侵入者を威嚇するための警告音声を発報させ(ステップＳ４０３)、その後、異常通報部２１７は、監視センタ２９０に監視領域に異常が生じた旨の通報をネットワーク２８０を介して行う（ステップＳ４０４）。
【００６８】
一方、警備モード判定部２４０が、警備モード記憶部２１２に記憶された警備モードが警備状態でないと判定した場合（ステップＳ４０２；Ｎｏ）、さらに警備モードが警備解除状態であるか否かを判定する（ステップＳ４０５）。そして、警備モードが警備解除状態であると判定した場合（ステップＳ４０５；Ｙｅｓ）、処理を終了する。そして、警備モード判定部２４０が、警備モードが警備解除状態でないと判定した場合（ステップＳ４０５；Ｎｏ）、図５に示す在宅警備処理を行う（ステップＳ４０６）。
【００６９】
図５は、警備モード記憶部２１２が記憶する警備モードが在宅警備状態の場合に、警備装置１００が行う処理手順を示すフローチャートである。
【００７０】
在宅警備処理が開始されると、まずタイマー２１５が起動して、最初にセンサ２０３ａからの検知情報を受信した時刻を時間記憶部２１４に記憶すると共に、その時刻からの経過時間を計時し（ステップＳ４０７）、警告音声報知部２１９が、スピーカ２３３から警告音声を発報させる（ステップＳ４０８）。
【００７１】
その後、センサ判定部２２０は、検知受信部２２１がセンサ２０３ｂからの検知情報を受信しているか否かを判定し（ステップＳ４０９）、検知情報を受信していると判定した場合には（ステップＳ４０９；Ｙｅｓ）、さらに検知受信部２２１が、ステップＳ４０１で判定したセンサ２０３ａと同じものであるか否かを判定する（ステップＳ４１２）。
【００７２】
そして、センサ判定部２２０が、ステップＳ４０１で判定したセンサ２０３ａと同じものであると判定した場合には（ステップＳ４１２；Ｙｅｓ）、ステップＳ４０７に戻ってタイマー２１５が再起動し、上述した処理を繰り返す。このステップＳ４０７〜Ｓ４１２までの処理を繰り返す場合とは、具体的には、例えば、侵入者が未だ家庭内には侵入していないものの、監視区域の外部で徘徊しているような場合である。
【００７３】
センサ判定部２２０が、検知受信部２２１が、未だセンサ２０３ｂからの検知情報を受信していないと判定した場合には（ステップＳ４０９；Ｎｏ）、警告音声報知部２１９は、タイマー２１５が計時する経過時間が、あらかじめ時間記憶部２１４に記憶された経過設定時間を経過しているか否かを判定する（ステップＳ４１０）。そして、タイマー２１５が計時する経過時間が、あらかじめ時間記憶部２１４に記憶された経過設定時間を経過していないと判定した場合には（ステップＳ４１０；Ｎｏ）、ステップＳ４０８に戻り、ステップＳ４０８〜Ｓ４１０までの各処理を繰り返す。すなわち、警告音声報知部２１９は、スピーカ２３３から警告音声を発報し続ける。
【００７４】
一方、警告音声報知部２１９は、タイマー２１５が計時する経過時間が、あらかじめ時間記憶部２１４に記憶された経過設定時間を経過していると判定した場合（ステップＳ４１０；Ｙｅｓ）、には、警告音声報知部２１９は、スピーカ２３３からの警告音声の発報を停止させ（ステップＳ４１１）、全ての処理が終了する。
【００７５】
ステップＳ４１２において、センサ判定部２２０が、ステップＳ４０１で判定したセンサ２０３ａと同じものでないと判定した場合には（ステップＳ４１２；Ｎｏ）、センサ判定部２２０はステップＳ４０９で受信したセンサ２０３ｂからの検知情報が、最初に受信したセンサ２０３ａまたは、ステップＳ４１２で再び受信したセンサ２０３ａと組み合わせて設置されているセンサ２０３ｂであるか、さらには警報注意報知部２１８は検知受信部２２１がセンサ２０３ａを受信した後にセンサ２０３ｂからの検知信号を受信したか否かを判定する（ステップＳ４１３）。
【００７６】
具体的には、センサ判定部２２０はステップＳ４０９で受信したセンサ２０３ｂからの検知情報に含まれているセンサＩＤが、ステップＳ４０１で判定したセンサ２０３ａに対応するものであるか否かを対応センサ記憶部２１６を参照して判定し、さらに、警報注意報知部２１８はセンサ順序フラグに「１」がセットされているか否かを判定する。
【００７７】
そして、センサ判定部２２０がステップＳ４０９で受信したセンサ２０３ｂからの検知情報に含まれているセンサＩＤが、ステップＳ４０１で判定したセンサ２０３ａに対応するものであり、警報注意報知部２１８がセンサ順序フラグに「１」がセットされていると判定した場合には（ステップＳ４１３；Ｙｅｓ）、警備モード判定部２４０は、警備モード記憶部２１２に記憶されている警備モードが、在宅警備帰宅待ち状態であるか否か判定する（ステップＳ４１４）。
【００７８】
そして、警備モード判定部２４０が、警備モードが在宅警備帰宅待ち状態でないと判定した場合には（ステップＳ４１４；Ｎｏ）、警報注意報知部２１８がスピーカ２３３からプレ警報を発報することなく、異常通報部２１７は監視センタ２９０に対して異常を検知した旨の通報を行う（ステップＳ４１７）。
【００７９】
一方、ステップＳ４１３において、センサ判定部２２０が、ステップＳ４０９で受信したセンサ２０３ｂからの検知情報に含まれているセンサＩＤがステップＳ４０１で判定したセンサ２０３ａに対応するものでないか、または警報注意報知部２１８がセンサ順序フラグに「１」がセットされていないと判定した場合（ステップＳ４１３；Ｎｏ）、あるいは、ステップＳ４０９で受信したセンサ２０３ｂからの検知情報に含まれているセンサＩＤが、ステップＳ４０１で判定したセンサ２０３ａに対応するものであり、かつセンサ順序フラグに「１」がセットされているが、警備モード記憶部２１２に記憶されている警備モードが、在宅警備帰宅待ち状態である場合には（ステップＳ４１４；Ｙｅｓ）、警報注意報知部２１８は、スピーカ２３３からプレ警報を発報する（ステップＳ４１５）。
【００８０】
そして、警報注意報知部２１８は、タイマー２１５が計時する経過時間が、あらかじめ時間記憶部２１４に記憶された経過設定時間を経過しているか否かを判定し（ステップＳ４１６）、タイマー２１５が計時する経過時間が、あらかじめ時間記憶部２１４に記憶された経過設定時間を経過していないと判定した場合には（ステップＳ４１６；Ｎｏ）、ステップＳ４１５に戻り、警報注意報知部２１８は、スピーカ２３３からプレ警報を発報し続ける。
【００８１】
一方、タイマー２１５が計時する経過時間が、あらかじめ時間記憶部２１４に記憶された経過設定時間を経過していると判定した場合には（ステップＳ４１６；Ｙｅｓ）、ステップＳ４１７に進み、異常通報部２１７が、ネットワーク２８０を介して監視センタ２９０に監視領域に異常が生じた旨の通報を行う（ステップＳ４１７）。上述したステップＳ４０１〜Ｓ４１７の各処理が終了すると、本実施の形態にかかる全ての処理が終了する。
【００８２】
続いて、上述した各処理において、センサ２０３ａ、センサ２０３ｂ、及びコントローラが動作する様子を図６〜図１１に示す。
【００８３】
図６は、警備モードが警備状態の場合に、トリガセンサであるセンサ２０３ａが異常を検知した場合の例を示す図である。図６の例では、警備モードが警備状態の場合に、センサ２０３ａからの検知情報を検知受信部２２１が受信しているため、そのセンサ２０３ａに対応するセンサ２０３ｂに異常を検知したか否かにかかわらず、異常通報部２１７が、監視センタ２９０に監視領域に異常が生じた旨の通報している。
【００８４】
また、図７は、警備モードが在宅警備状態ではあるものの、あらかじめコントローラの操作表示部２３１を操作してセンサが異常を検知しても監視センタ２９０に通報しないようにキャンセルしているため、検知受信部２２１がセンサ２０３ａ、２０３ｂからの検知情報を受信した場合であっても、監視センタ２９０への通報は行わない。
【００８５】
図８は、警備モードが在宅警備状態ではあるが、在宅警備帰宅待ち状態ではない場合に、センサ２０３ａとそのセンサ２０３ａに対応するセンサ２０３ｂが、一定時間（Ｔ１）の間に異常を検知し、検知受信部２２１がこれらの検知情報を受信した場合の例を示す図である。図８の例では、トリガセンサであるセンサ２０３ａが二度の異常を検知した後、警告音声をスピーカ２３３から発報し、その後センサ２０３ａに対応するセンサ２０３ｂに異常が検知されたため、プレ警報を行わず、異常通報部２１７が監視センタ２９０に監視領域に異常が生じた旨の通報している。
【００８６】
また、図９は、警備モードが在宅警備状態であるが、在宅警備帰宅待ち状態ではない場合であって、あらかじめコントローラの操作表示部２３１を操作してセンサが異常を検知しても監視センタ２９０に通報しないようにキャンセルしたものの、キャンセルしてから一定時間が経過した場合等、キャンセルが有効でなくなった場合の例を示す図である。この場合は、図８の場合のように、プレ警報を行わず、異常通報部２１７が監視センタ２９０に監視領域に異常が生じた旨の通報をする。
【００８７】
図１０は、開閉センサであるセンサ２０３ｂが異常を検知した場合の例を示す図である。例えば、あらかじめコントローラの操作表示部２３１を操作してセンサ２０３ｂが異常を検知しても監視センタ２９０に通報しないようにキャンセルしなかった場合で、警報注意報知部２１８はプレ警報を発報して一定時間が経過してしまった場合には、異常通報部２１７は、監視センタ２９０に監視領域に異常が生じた旨の通報をする。例えば、家人が、センサ２０３ｂが設置された部屋の窓を誤って開けてしまった場合等を示している。
【００８８】
また、図１１は、開閉センサであるセンサ２０３ｂが異常を検知し、さらにそのセンサ２０３ｂに対応するセンサ２０３ａが異常を検知した場合の例を示す図である。例えば、
あらかじめコントローラの操作表示部２３１を操作してセンサ２０３ｂ、センサ２０３ａが異常を検知しても監視センタ２９０に通報しないようにキャンセルしなかった場合で、警報注意報知部２１８はプレ警報を発報して一定時間が経過してしまった場合には、異常通報部２１７は、監視センタ２９０に監視領域に異常が生じた旨の通報をする。例えば、家人が、センサ２０３ｂが設置された部屋のドアを誤って開けてさらに庭等に外出してしまった場合等を示している。
【００８９】
このように、本実施の形態においては、警報注意報知部２１８が、センサ判定部２２０が検知情報を受信した順序がセンサ２０３ａよりセンサ２０３ｂの方が先であると判定した場合に、監視区域に注意を促し、異常通報部２１７が、センサ判定部２２０が検知情報を受信した順序がセンサ２０３ａがセンサ２０３ｂより先であると判定した場合、または警報注意報知部２１８が監視区域に注意を促した場合に、監視センタ２９０に警報を送信するので、センサ２０３ａとセンサ２０３ｂとの異常検知の順序により在宅警備の場合にセンサが検知した異常が不審者によるものか否かを区別でき、異常が不審者の侵入によるものである場合には、迅速に監視センタ２９０に異常を通報できる。
【００９０】
また、本実施の形態においては、警告音声報知部２１９が、検知受信部２２１がセンサ２０３ａから検知情報を受信した場合に、監視区域の外部に対して警告音声を発報するので、在宅警備の場合にセンサが検知した異常が不審者によるものか否かを区別でき、異常が不審者の侵入によるものである場合には、不審者に対して威嚇するとともに、迅速に監視センタ２９０に異常を通報できる。
【００９１】
また、本実施の形態においては、警備モード判定部２４０が、現在の警備モードが警備状態、警備解除状態、在宅警備状態のいずれであるかを判定し、センサ判定部２２０は、警備モード判定部２４０が現在の警備モードが在宅警備状態であると判定した場合に、センサ２０３ａとセンサ２０３ｂとが異常を検知した順序を判定するので、複数の警備モードを切り替えて警備を行う場合でも、在宅警備の場合にセンサが検知した異常が不審者によるものか否かを区別でき、迅速に監視センタ２９０に異常を通報できる。
【００９２】
また、本実施の形態においては、警報注意報知部２１８は、検知情報を受信した順序がセンサ２０３ａの後にセンサ２０３ｂからの検知情報を受信したと判定した場合であっても、警備モード判定部２４０が、現在の警備モードが在宅帰宅待ち状態である場合は、監視区域に注意を促すので、在宅警備の場合にセンサが検知した異常が家人の帰宅によるものか否かを区別でき、異常が家人の帰宅によるものである場合には、直ちに監視センタ２９０に異常を通報しないため誤報を低減できる。
【００９３】
（実施の形態２）
上述した実施の形態１では、トリガセンサ２０３ａが監視区域の外部に設置された場合の警備装置１００の動作について説明したが、外部にトリガセンサ２０３ａを設置することが困難な場合（例えば、設置位置となる外壁や窓枠の素材や隣接家屋との間隔が極めて狭小な場合等）もある。そこで、トリガセンサ２０３ａを警備区域の内部に設置し、トリガセンサ２０３ａを上述した実施の形態１におけるセンサ２０３ｂの役割を持たせた場合、すなわち、トリガセンサ２０３ａが異常を検知した場合は、家人が窓や扉を開けて換気や外出した場合等であると判定して直ちに監視センタ２９０に異常が生じた旨の通報を行わないようにし、センサ２０３ｂが異常を検知した場合には、警備区域に部外者が侵入したと判定して、直ちに監視センタ２９０に異常が生じた旨の通報をする場合について説明する。
【００９４】
図１２は、実施の形態２にかかる警備装置５００の構成を示すブロック図である。実施の形態２における警備装置５００は、センサ２０３ａ、２０３ｂの配置（図１２に示すセンサの１組の対Ｑ１〜Ｑｎ）、本体部５１０において、タイマー１２００、時間記憶部１２１０、センサ判定部１２２０の各機能が実施の形態１と異なっている。以下の説明では、上述した実施の形態１と同一の構成要素には同一の符号を付してその説明を省略している。
【００９５】
センサ２０３ａ、センサ２０３ｂは、図１３に示すように、いずれのセンサも警備区域の内部に設置される。各センサの構成については、実施の形態１の場合と同様であるため、その説明を省略する。
【００９６】
図１２に戻り、タイマー１２００は、センサ２０３ｂによって外部から監視領域に侵入してきた人が検知された場合、すなわち検知受信部２２１がセンサ２０３ｂからの検知情報を受信した場合、その受信した時刻を後述する時間記憶部１２１０に記憶する。また、タイマー１２００は、検知受信部２２１が検知情報を受信した時刻から、次にセンサ２０３ａまたは２０３ｂからの検知情報を受信するまでの経過時間を計時する。
【００９７】
時間記憶部１２１０は、検知受信部２２１がセンサ２０３ｂから検知情報を受信した時刻と、上述した経過時間、および経過設定時間とを記憶するメモリ等の記憶媒体である。
【００９８】
センサ判定部１２２０は、検知受信部２２１が、センサ２０３ｂ、２０３ａからの異常を示す検知情報を受信すると、検知情報に含まれるセンサＩＤを読み取り、読み取ったセンサＩＤが、対応センサ記憶部２１６に記憶されるどのセンサＩＤに対応するものであるかを判別する。尚、センサ２０３ｂ、センサ２０３ａが異常を検知した場合の順序の判定や、プレ警報を発報するタイミング等については、実施の形態１の場合と同様であるため、ここではその説明を省略する。
【００９９】
図１４は、警備装置５００が行う処理手順を示すフローチャートである。図１４に示す各処理では、あらかじめ警備モード記憶部２１２には在宅警備モードが記憶されているものとする。
【０１００】
まず、検知受信部２２１がセンサ２０３ａ、またはセンサ２０３ｂからの検知情報を受信すると、センサ判定部１２２０は、受信した検知情報に含まれるセンサＩＤを読み取り、そのセンサＩＤが対応センサ記憶部２１６に記憶された開閉センサのセンサＩＤと一致するか否かを判定し、対応センサ記憶部２１６のセンサ順序フラグに「２」をセットする（ステップＳ１３０１）。ステップＳ１３０１の詳細な説明については、ステップＳ４０１の場合と同様であるため、ここではその説明を省略する。
【０１０１】
そして、センサ判定部１２２０は、読み取ったセンサＩＤが対応センサ記憶部２１６に記憶された開閉センサのセンサＩＤと一致すると判定すると（ステップＳ１３０１；Ｙｅｓ）、異常通報部２１７は、監視センタ２９０に異常を検知した旨の通報を行なう（ステップＳ１３０２）。即ち、センサ判定部１２２０は、センサ２０３ｂからの異常を検知した場合には、そのセンサ２０３ｂに対応するセンサ２０３ａが異常を検知しているか否かにかかわらず、異常通報部２１７は、監視センタ２９０に異常を検知した旨を通報する。
【０１０２】
一方、センサ判定部１２２０は、読み取ったセンサＩＤが対応センサ記憶部２１６に記憶された開閉センサのセンサＩＤと一致しないと判定すると（ステップＳ１３０１；Ｎｏ）、タイマー１２００を起動し（ステップＳ１３０３）、センサ判定部１２２０は、検知受信部２２１が、センサ２０３ａからの検知情報を受信しているか否かを判定する（ステップＳ１３０４）。そして、センサ２０３ａからの検知情報を受信していないと判定した場合は（ステップＳ１３０４；Ｎｏ）、さらに時間記憶部１２１０に記憶した経過時間を経過しているか否かを判定する（ステップＳ１３０５）。
【０１０３】
そして、時間記憶部１２１０に記憶した経過時間を経過していると判定した場合には（ステップＳ１３０５；Ｙｅｓ）、処理を終了し、経過時間を経過していないと判定した場合には（ステップＳ１３０５；Ｎｏ）、ステップＳ１３０４に戻り、検知受信部２２１がセンサ２０３ａからの検知情報を受信しているか否かを判定する。
【０１０４】
一方、センサ判定部１２２０は、トリガセンサであるセンサ２０３ａからの検知情報を受信していると判定した場合は（ステップＳ１３０４；Ｙｅｓ）、センサ２０３ａからの検知情報を再び受信しているか否かを判定し（ステップＳ１３０６）、センサ２０３ａからの検知情報を再び受信していると判定した場合には（ステップＳ１３０６；Ｙｅｓ）、ステップＳ１３０４に戻り、タイマー１２００を再起動する。このステップＳ１３０６以降の各処理(ステップＳ１３０７〜Ｓ１３１２)については、センサ２０３ａとセンサ２０３ｂからの検知情報を受信する順序が異なるだけであり、他の処理内容については実施の形態１と同様であるため、ここではその説明を省略する。
【０１０５】
図１５は、警備モードが在宅警備状態である場合に、トリガセンサ２０３ａは異常を検知しないが、開閉センサであるセンサ２０３ｂが異常を検知した場合の例を示す図である。この場合は、プレ警報を行わず、異常通報部２１７が監視センタ２９０に監視領域に異常が生じた旨の通報をする。
【０１０６】
図１６は、警備モードが在宅警備状態ではあるが、在宅警備帰宅待ち状態ではない場合に、センサ２０３ａとそのセンサ２０３ａに対応するセンサ２０３ｂが、一定時間（Ｔ１）の間に異常を検知し、検知受信部２２１がこれらの検知情報を受信した場合の例を示す図である。図１６の例では、監視区域の内部に設置されたトリガセンサであるセンサ２０３ａが２回異常を検知しているため、プレ警報をスピーカ２３３から発報し、その後センサ２０３ａに対応するセンサ２０３ｂに異常が検知されたため、異常通報部２１７が監視センタ２９０に監視領域に異常が生じた旨の通報している。
【０１０７】
このように、本実施の形態においては、センサ判定部１２２０が、検知受信部２２１が受信した検知情報に基づいて、センサ２０３ａとセンサ２０３ｂとが異常を検知した順序を判定し、センサ判定部１２２０が、検知情報を受信した順序がセンサ２０３ｂがセンサ２０３ａより先であると判定した場合に、異常通報部２１７が監視センタに警報を送信するので、センサが監視区域の外部に設置できない場合であっても、在宅警備の場合にセンサが検知した異常が不審者によるものか否かを区別でき、異常が不審者の侵入によるものである場合には、迅速に監視センタに異常を通報できる。
【０１０８】
また、本実施の形態においては、センサ判定部１２２０が、検知情報を受信した順序がセンサ２０３ａの後にセンサ２０３ｂからの検知情報を受信したと判定した場合に、注意報知手段が監視区域に注意を促し、異常通報部２１７は、警報注意報知部２１８が監視区域に注意を促した場合に、監視センタ２９０に警報を送信するので、センサが監視区域の外部に設置できない場合であっても、在宅警備の場合にセンサが検知した異常が家人の帰宅によるものか否かを区別でき、異常が家人の帰宅によるものである場合には、直ちに監視センタに異常を通報しないため誤報を低減できる。
【０１０９】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【０１１０】
【図１】実施の形態１の警備装置の機能的構成を示すブロック図である。
【図２】図１に示す警備装置の対応センサ記憶部が記憶する具体例を示す図である。
【図３】実施の形態１の警備装置およびセンサの監視領域内の配置図である。
【図４】実施の形態１においてセンサからの検知信号を受信してから監視センタに通報するまでの手順を示すフローチャートである。
【図５】図４に示す在宅警備処理の手順を示すフローチャートである。
【図６】警備モードが警備状態におけるセンサとコントローラの動作の関係を時系列に表したタイムチャートである。
【図７】警備モードが在宅警備状態において、キャンセル操作が生じた場合のセンサとコントローラの動作の関係を時系列に表したタイムチャートである。
【図８】警備モードが警備状態であるが、在宅警備帰宅待ち状態ではない場合におけるセンサとコントローラの動作の関係を時系列に表したタイムチャートである。
【図９】警備モードが在宅警備状態の場合にキャンセル操作をしたものの、一定時間が経過した場合におけるセンサとコントローラの動作の関係を時系列に表したタイムチャートである。
【図１０】開閉センサが異常を検知した場合のセンサとコントローラの動作の関係を時系列に表したタイムチャートである。
【図１１】開閉センサが異常を検知し、さらにそのセンサに対応するセンサが異常を検知した場合の例を示す図である。
【図１２】実施の形態２の警備装置の機能的構成を示すブロック図である。
【図１３】実施の形態２の警備装置およびセンサの監視領域内の配置図である。
【図１４】実施の形態２の場合においてセンサからの検知信号を受信してから監視センタに通報するまでの手順を示すフローチャートである。
【図１５】トリガセンサは異常を検知しないが、開閉センサが異常を検知した場合におけるセンサとコントローラの動作の関係を時系列に表したタイムチャートである。
【図１６】在宅警備帰宅待ち状態ではない場合に、トリガセンサと開閉センサが、異常を検知した場合における、センサとコントローラの動作の関係を時系列に表したタイムチャートである。
【符号の説明】
【０１１１】
１００  ５００  警備装置
２０３ａ  センサ
２０３ｂ  センサ
２０６  通信制御部
２１０  ５１０  本体部
２１１  入出力制御部
２１２  警備モード記憶部
２１３  警備モード切替部
２１４  １２１０  時間記憶部
２１５  １２００  タイマー
２１６  対応センサ記憶部
２１７  異常通報部
２１８  警報注意報知部
２１９  警告音声報知部
２２０  １２２０  センサ判定部
２２１  検知受信部
２３０  コントローラ
２３０  サブコントローラ
２３１  操作表示部
２３２  マイク
２３３  スピーカ
２４０  警備モード判定部
２５０  ブザー
２８０  ネットワーク
２９０  監視センタ
【図１】
2009163420.tif 000003
【図２】
2009163420.tif 000004
【図３】
2009163420.tif 000005
【図４】
2009163420.tif 000006
【図５】
2009163420.tif 000007
【図６】
2009163420.tif 000008
【図７】
2009163420.tif 000009
【図８】
2009163420.tif 000010
【図９】
2009163420.tif 000011
【図１０】
2009163420.tif 000012
【図１１】
2009163420.tif 000013
【図１２】
2009163420.tif 000014
【図１３】
2009163420.tif 000015
【図１４】
2009163420.tif 000016
【図１５】
2009163420.tif 000017
【図１６】
2009163420.tif 000018